(57)【特許請求の範囲】
【請求項１】
情報ラックのような取付け部に取付けられる天面部の両端部から側壁部を対向延設して対向する側壁部の先端部間に開口部が形成されたダクト本体と、ダクト本体内に配置され所定長さを有してダクト本体の長手方向に延設された複数で一組となった導体と、この導体にそれぞれ電気的に接触する複数で一組となった栓刃を有してダクト本体の開口部に取着されるプラグとを備えた給電ダクトシステムであって、板金製のダクト本体の天面部の巾方向の中間部をダクト本体内に凸曲してダクト本体内に突出する凸部を設け、両側の外面に導体を保持した樹脂製の断面コ字状の導体保持部を凸部の略全体にわたって密接状態で被嵌することでダクト本体の両側壁部に対向する凸部の両側面に導体を位置させ、プラグに設けた複数の栓刃をダクト本体の巾方向の内側に突出すると共に複数の栓刃のうちいずれかが他方に対して逆方向となるようにしたことを特徴とする給電ダクトシステム。
【請求項２】
導体が樹脂製の導体保持部に保持され、導体保持部を板金製のダクト本体に着脱可能に設けて成ることを特徴とする請求項１記載の給電ダクトシステム。
【請求項３】
導体が導体保持部に着脱可能に保持してあることを特徴とする請求項２記載の給電ダクトシステム。
【請求項４】
ダクト本体の開口部の縁部に側壁部の先端部を内方に折曲して折曲部を形成し、プラグに、ダクト本体の開口部に挿入されるとともに挿入状態でプラグを回転することでダクト本体の折曲部に内側から係止する係止部を側方に突出し、前記プラグに設けた２個で一組となる栓刃が、２個で一組となる導体に接触した状態でダクト本体の長手方向において位置がずれるように設けてあることを特徴とする請求項１乃至請求項３のいずれかに記載の給電ダクトシステム。
【請求項５】
一方の係止部が２個で一組となる栓刃のうち一方の栓刃に隣り合うと共に他方の栓刃に対向し、他の係止部が他方の栓刃に隣りあうと共に一方の栓刃に対向する位置に設けてあることを特徴とする請求項４記載の給電ダクトシステム。
【請求項６】
プラグにダクト本体の開口部への挿入回転装着時にダクト本体に対するプラグの回転を防止するためのロック部を設けて成ることを特徴とする請求項１乃至請求項５のいずれかに記載の給電ダクトシステム。
【請求項７】
プラグに設けたロック部をプラグの挿入部をダクト本体の開口部内に挿入する挿入方向と同方向に移動自在とし、該ロック部が、プラグの挿入部をダクト本体の開口部内に挿入して回転している状態で折曲部の外面に弾接し且つプラグの挿入部をダクト本体に挿入して回転して栓刃が導体に接触した状態で開口部内に弾性的に入り込むように弾性付勢してあることを特徴とする請求項６記載の給電ダクトシステム。
【請求項８】
開口部に挿入したロック部を開口部から引き抜くためにロック部の弾性付勢方向に抗してロック部を移動するための操作部をプラグに設けて成ることを特徴とする請求項７記載の給電ダクトシステム。
【請求項９】
プラグの外殻形状を、ダクト本体へのプラグ挿入時、回転取付け時のいずれの状態においてもダクト本体の巾内に略収まるように形成して成ることを特徴とする請求項１乃至請求項８記載の給電ダクトシステム。
【発明の詳細な説明】
【０００１】
【発明の属する技術分野】
本発明は、導体を有するダクト本体と、栓刃を有するプラグとよりなる給電ダクトシステムに関するものである。
【０００２】
【従来の技術】
従来から情報ラックのような取付け部に取付けられる天面部１の両端部から側壁部２を対向延設して対向する側壁部２の先端部間に開口部３が形成されたダクト本体４の両側壁部２の内面部にダクト本体４の長手方向に沿ってそれぞれ導体５を配置し、プラグ７の挿入部の両側にそれぞれ外側に向けて栓刃６を突設し、プラグ７の挿入部をダクト本体４の開口部３内に挿入し、プラグ７を９０°回転して栓刃６をダクト本体４の両側壁部２の内面部に配設した導体５に接触させてプラグ７をダクト本体４に装着するようにした給電ダクトシステムが知られている。
【０００３】
ところで、上記のような給電ダクトシステムにおいては、ＩＥＣ規格に適合させたい場合、図６（ａ）に示すように試験針３０がダクト本体４の開口部３から導体５に接触しない構造にする必要がある。このため、従来にあってＩＥＣ規格に適合させるためには、導体５をダクト本体４の奥深くに配置したり、ダクト本体４の開口部３を狭くしたりする必要がある。しかしながら、導体５をダクト本体４の奥深くに配置するものにおいてはダクト本体４の深さが深くなると共にプラグ７の挿入部の差し込み方向の長さが長くなり、また、ダクト本体４の開口部３を狭くするものにおいては図６（ｂ）、図６（ｃ）に示すようにプラグ７がダクトから大きく突出してしまう構造となる。
【０００４】
例えば、コンピュータルーム等の室内で主に壁際に設置され、情報機器等が設置される情報ラックあるいはシステムラック等と呼ばれるものがあるが、このようなラックに取付ける情報ラック用の給電ダクトシステムを考える場合、非常に使い勝手が悪いものとなってしまうという問題がある。
【０００５】
また、従来にあっては、ダクト本体４は絶縁性及び強度確保のために樹脂材料に金属板を埋め込んで一体成形（いわゆるインサート成形）するものもあるが、このものにおいては、異なる材料のものを分別解体することが困難であった。
【０００６】
【発明が解決しようとする課題】
本発明は上記の点に鑑みてなされたものであり、試験針が開口部から導体に接触しないというＩＥＣ規格の適合性を満たしつつ、ダクト本体の薄型化、開口部の拡大、プラグの挿入部の突出度の低減を図ることができて使い勝手の良く、また、絶縁性、強度を確保できると共に、異なる材料のものを容易に分別解体することができる新規な給電ダクトシステムを提供することを課題とするものである。
【０００７】
【課題を解決するための手段】
上記課題を解決するために本発明に係る給電ダクトシステムは、情報ラックのような取付け部に取付けられる天面部１の両端部から側壁部２を対向延設して対向する側壁部２の先端部間に開口部３が形成されたダクト本体４と、ダクト本体４内に配置され所定長さを有してダクト本体４の長手方向に延設された複数で一組となった導体５と、この導体５にそれぞれ電気的に接触する複数で一組となった栓刃６を有してダクト本体４の開口部３に取着されるプラグ７とを備えた給電ダクトシステムであって、板金製のダクト本体４の天面部１の巾方向の中間部をダクト本体４内に凸曲してダクト本体１内に突出する凸部９を設け、両側の外面に導体５を保持した樹脂製の断面コ字状の導体保持部８を凸部９の略全体にわたって密接状態で被嵌することでダクト本体４の両側壁部２に対向する凸部９の両側面に導体５を位置させ、プラグ７に設けた複数の栓刃６をダクト本体４の巾方向の内側に突出すると共に複数の栓刃６のうちいずれかが他方に対して逆方向となるようにしたことを特徴とするものである。このような構成とすることで、ダクト本体４の巾方向の中間部に配置した各導体５と対向する側壁部２との間の巾がダクト本体４の巾の１／２以下となって狭くなり、この結果、ダクト本体４の奥行きを深くしたりあるいは開口部３の巾を狭くしなくても試験針が開口部３から導体に接触しない構造とでき、しかも、このように開口部３の巾を広くすることが可能なので、プラグ７を挿入して取付ける操作性が向上することになる。また、ダクト本体４の奥行きを深くしてなくてもよいので、ダクト本体４の薄型化が図れ、プラグの挿入部１５の突出度も低減できることになる。また、ダクト本体４の天面部１の巾方向の中間部をダクト本体４内に凸曲してダクト本体１内に突出する凸部９を設け、両側の外面に導体５を保持した断面コ字状の導体保持部８を凸部９の略全体にわたって密接状態で被嵌することでダクト本体４の両側壁部２に対向する凸部９の両側面に導体５を位置させるので、簡単な構成で複数の導体５がそれぞれダクト本体４の巾方向の外側を向き且つ複数の導体５のうちいずれかが他方に対して逆方向となるようにダクト本体４内の巾方向の中間部に配置することができ、また、板金製のダクト本体１の天面部１の中間部を凸曲した凸部９の略全体にわたって樹脂製の導体保持部８を密接状態で被嵌するので、樹脂製の導体保持部８の板金製のダクト本体１への接触面積を大きくすることが可能となり、導体５における発熱を効率良く板金製のダクト本体１に逃がすことができて、熱が滞留することによる樹脂製の導体保持部８の変形を低減できるものである。
【０００８】
また、導体５が樹脂製の導体保持部８に保持され、導体保持部８を板金製のダクト本体４に着脱可能に設けることが好ましい。このような構成とすることで、分別回収する際に、板金製のダクト本体４を合成樹脂製の導体保持部８から分別して回収ができるものである。
【０００９】
また、導体５が導体保持部８に着脱可能に保持してあることが好ましい。このような構成とすることで、分別回収する際に導体５を合成樹脂製の導体保持部８から脱離することで容易に導体５と合成樹脂製の導体保持部８とを分別回収できるものである。
【００１１】
また、ダクト本体４の開口部３の縁部に側壁部２の先端部を内方に折曲して折曲部１０を形成し、プラグ７に、ダクト本体４の開口部３に挿入されるとともに挿入状態でプラグ７を回転することでダクト本体４の折曲部１０に内側から係止する係止部１１を側方に突出し、前記プラグ７に設けた２個で一組となった栓刃６が、２個で一組となった導体５に接触した状態でダクト本体４の長手方向において位置がずれるように設けてあることが好ましい。このような構成とすることで、プラグ７の２個で一組となった栓刃６及び係止部１１をダクト本体４の開口部３内に挿入した状態でプラグ７を回転することで２個で一組となった栓刃６を対をなす導体５に接触させるとともに係止部１１を折曲部１０に内側から係止して装着できるものであり、また、２個で一組となった導体５に接触した状態でダクト本体４の長手方向において位置がずれるように設けてあるので、ダクト本体４への挿入回転による装着時の回転角度を小さくすることができるものである。
【００１２】
また、一方の係止部１１が２個で一組となった栓刃６のうち一方の栓刃６に隣り合うと共に他方の栓刃６に対向し、他の係止部１１が他方の栓刃６に隣りあうと共に一方の栓刃６に対向する位置に設けてあることが好ましい。このような構成とすることで、プラグ７をダクト本体４の開口部３に挿入回転して装着した状態で、プラグ７のダクト本体４への装着が安定するものである。
【００１３】
また、プラグ７にダクト本体４の開口部３への挿入回転装着時にダクト本体４に対するプラグ７の回転を防止するためのロック部１２を設けることが好ましい。このような構成とすることで、プラグ７をダクト本体４の開口部３に挿入回転して装着した状態でロック部１２により回転が防止されるので、装着状態で不用意にプラグ７が回転して栓刃６と導体５との接触が離れたりあるいはプラグ７がダクト本体４から外れたりしないものである。
【００１４】
また、プラグ７に設けたロック部１２をプラグ７の挿入部１５をダクト本体４の開口部３内に挿入する挿入方向と同方向に移動自在とし、該ロック部１２が、プラグ７の挿入部１５をダクト本体４の開口部３内に挿入して回転している状態で折曲部１０の外面に弾接し且つプラグ７の挿入部１５をダクト本体４に挿入して回転して栓刃６が導体５に接触した状態で開口部３内に弾性的に入り込むように弾性付勢してあることが好ましい。このような構成とすることで、プラグ７をダクト本体４の開口部３内に挿入回転して装着するだけでロック部１２が開口部３内に弾性的に入り込んでプラグ７の回転を防止する構成とすることができるものである。
【００１５】
また、開口部３に挿入したロック部１２を開口部３から引き抜くためにロック部１２の弾性付勢方向に抗してロック部１２を移動するための操作部１３をプラグ７に設けることが好ましい。このような構成とすることで、操作部１３を操作することで簡単にロック部１２によるロックを解除することができるものである。
【００１６】
また、プラグ７の外殻形状を、ダクト本体４へのプラグ７挿入時、回転取付け時のいずれの状態においてもダクト本体４の巾内に略収まるように形成することが好ましい。このような構成とすることで、プラグ７の操作スペース、配設スペース等のスペース効率が向上するものである。
【００１７】
【発明の実施の形態】
以下、本発明を添付図面に示す実施形態に基づいて説明する。
【００１８】
ダクト本体４は図３、図４に示すように情報ラックのような取付け部に取付けられる天面部１の両端部から側壁部２を対向延設して対向する側壁部２の先端部間に開口部３を形成した断面略コ字状をしている。ここで側壁部２の先端部は内方に折曲して折曲部１０を形成してあり、この折曲部１０の先端縁が開口部３の両端縁を構成している。両折曲部１０は同一形状ではなくダクト本体４の厚み（折曲部１０の突出方向と直交する方向である奥行き方向の寸法）あるいは突出長さ等が異なっており、添付図面に示す実施形態においては一方の折曲部１０ａは折り返し部を有していて、他方の折り返し部を有さない折曲部１０ｂにくらべて厚みが厚くなっている。
【００１９】
上記のように両折曲部１０を異なる形状としたのは、プラグ７の誤装着を防止するため（図１の紙面において左右逆にプラグ７が取付けられるのを防止するため）であり、両折曲部１０に対応するプラグ７の部分も後述のように左右非対称に形成してあり、このようにプラグ７の取付け方向を規定するのは導体５とプラグ７の極性を合わせるためである。
【００２０】
また、ダクト本体４天面部１の幅方向の中間部分をダクト本体４内に凸曲してダクト本体４内に突出する凸部９を設けてある。上記の構成のダクト本体４は板金製の一体物である。また、ダクト本体４の天面部１の凸部９以外の部分には情報ラックのような取付け部に取付ける際にねじ具のような固着具を挿入するための固着用の孔１４が設けてある。
【００２１】
本発明においては、ダクト本体４内の幅方向の中間部分には複数で一組となった長尺の導体５（以下の添付図面に示す実施形態では導体５は２個で一組となっている。つまり導体５が対になっている例で説明する。）がダクト本体４の長手方向にわたって配置されるが、この複数で一組となった導体５がそれぞれダクト本体４の巾方向の外側を向き且つ複数の導体５のうちいずれかが他方に対して逆方向となるようにダクト本体４内の巾方向の中間部に配置される。
【００２２】
すなわち、添付図面に示す実施形態においては、断面コ字状をした合成樹脂製の長尺の導体保持部８の両側片８ａの各外面にそれぞれ導体保持溝８ｂを長手方向にわたって形成し、断面コ字状をした合成樹脂製の導体保持部８の中央片８ｃの外面に接地用導体保持溝８ｄを設けてある。そして、両側片８ａの各外面に形成した導体保持溝８ｂに長尺の導体５を着脱自在に挿入して保持し、更に中央片８ｃの外面に形成した接地用導体保持溝８ｄに長尺の接地用導体５’を着脱自在に挿入して保持している。上記のように２個で一組となった対をなす導体５、接地用導体５’を着脱自在に保持した合成樹脂製の断面コ字状の導体保持部８をダクト本体４の天面部１の中央の凸部９に密接状態で被嵌して着脱自在に取付けてある。このようにダクト本体４の凸部９に断面コ字状の導体保持部８を密接させることで接触面積を大きくすることができて、導体５による発熱を効率よくダクト本体４に逃がすことができて、熱が滞留することによる導体保持部８の変形を防ぐことができる。また、複数で組となった導体５を保持した断面コ字状の導体保持部８をダクト本体４の天面部１の中央の凸部９に密接状態で着脱自在に被嵌することで、複数で組となった導体５を同時にダクト本体４に同時に取付けることができて取付けが簡略化されるものである。ここで、導体保持部８をダクト本体４に着脱自在とするに当たっては、例えば、断面コ字状をした導体保持部８を弾性を有する合成樹脂により形成して、断面コ字状の導体保持部８を凸部９に弾性的に被嵌することで着脱自在に取付けたり、あるいは、係合手段により着脱自在に取付けたり、あるいはかしめにより着脱自在に取付けたり、あるいは他の任意の着脱取付け手段により取付けたりするものである。
【００２３】
上記のように導体保持部８を凸部９に取付けることで、ダクト本体４の側壁部２に対向する凸部９側面に導体５が位置することになり、この結果、対をなす導体５がそれぞれダクト本体４の巾方向の外側を向き且つ対をなす導体５の向きが互いに逆方向となるように対をなす導体５がダクト本体４内の巾方向の中間部に配置されることになる。そして、導体保持部８の中央片８ｃの外面に着脱自在に保持した長尺の接地用導体５’は開口部３側を向いている。
【００２４】
本発明に使用するプラグ７は図５に示すようなもので、プラグ本体１６の片面から挿入部１５を突出して構成してあり、挿入部１５の突出面部には複数で一組となった栓刃６がダクト本体４に後述のようにしてプラグ７を取付け状態でダクト本体４の巾方向の内側方向に向けて突出するように設けてあり、複数の栓刃６のうちいずれかが他方に対して逆方向となっている。添付図面に示す実施形態では栓刃６は２個で一組となっており、以下は栓刃６が対になっている例で説明する。挿入部１５の突出面部には対をなす栓刃６の外側において栓刃６をカバーするように栓刃カバー片１７が突設してある。つまり、栓刃６は栓刃カバー片１７の内面側に位置している。プラグ７に設けた栓刃６及び栓刃カバー片１７は後述のようにプラグ７をダクト本体４に装着して対をなす栓刃６が対をなす導体５に接触した状態でダクト本体４の長手方向において位置がずれるように設けてある。図５（ｆ）において一点鎖線で示す線イがプラグ７をダクト本体４への装着時におけるダクト本体４の長手方向であり、この線イに対して対をなす栓刃６の位置がずれている（なお、図５（ｆ）において線ロはプラグ７をダクト本体４の開口部３に挿入する時のダクト本体４の長手方向を示している）。また、挿入部１５の突出面部の中央には接地用ピン１８が設けてあって、プラグ７をダクト本体４に装着した際に接地用ピン１８が接地用導体５’に接触するようになっている。
【００２５】
プラグ７の片面から突出した挿入部１５の突出基部の外側面には一対の係止部１１が外側方に向けて突出している。この一対の係止部１１は挿入部１５をダクト本体４の開口部３に挿入する際に挿入部１５と共に開口部３内に挿入でき且つ挿入状態でプラグ７を回転することでダクト本体４の折曲部１０に内側から係止するようになっている。ここで、対となる係止部１１が外側方に向けて突出している。係止部１１は一対設けてあり、一方の係止部１１ａは一方の折曲部１０ａに係止し、他方の係止部１１ｂは他方の折曲部１０ｂに係止するもので、一方の係止部１１ａが対をなす栓刃６のうち一方の栓刃６に隣り合うと共に他方の栓刃６に対向し、他の係止部１１ｂが他方の栓刃６に隣りあうと共に一方の栓刃６に対向する位置に設けてある。
【００２６】
また、プラグ７にはダクト本体４の開口部３への挿入回転装着時にダクト本体４に対するプラグ７の回転を防止するためのロック部１２を設けてある。すなわち、プラグ本体１６の側面部には挿入部１５の突出方向と平行な方向に移動自在に移動体１９が設けてあり、この移動体１９の挿入部１５の突出方向と同方向にロック部１２が突出してあり、移動体１９の外面部が操作部１３となっている。移動自在な移動体１９はばね（図示せず）により挿入部１５の突出方向に向けてばね力を付勢してあり、移動体１９をばね力に抗して移動しようとする外力が加わらない状態では図５に示すようにプラグ本体１６から挿入部１５の突出方向と同方向に向けてロック部１２が突出しており、操作部１３を操作してばね力に抗して移動体１９を挿入部１５の突出方向と反対方向に移動することでロック部１２を挿入部１５の突出方向と反対方向に向けて移動することができるようになっている。
【００２７】
また、プラグ本体１６の外殻形状は後述のようにしてダクト本体４にプラグ７を挿入して回転取付ける際、挿入時、回転時のいずれの状態においてもダクト本体４の巾内に略収まるように形成してある。図５に示す実施形態ではプラグ本体１６は正面視略円形状をしており、その直径はダクト本体４の巾と略等しいか又はダクト本体４の巾よりも小さいものである。ここで、プラグ本体１６は正面視略円形状をしているが、操作部１３の外面の外部への露出部分は正面視直線上となっている。つまり、プラグ本体１６は正面視において円の一部が操作部１３部分において直線となっている。
【００２８】
しかして、本発明において、ダクト本体４にプラグ７を取付けるには以下のようにして行うものである。
【００２９】
すなわち、プラグ７の挿入部１５をダクト本体４の開口部３内に挿入する。この場合、挿入部１５に設けた対となる栓刃６及び対となる係止部１１が開口部３内に挿入する。ここで、図２の破線に示すように操作部１３がダクト本体４の一方の折曲部１０の折曲基部にほぼ沿わせるように位置合わせすることで、挿入部１５に設けた対となる栓刃６及び対となる係止部１１が開口部３内に入れることができるように設定してある。また、操作部１３をダクト本体４の一方の折曲部１０の折曲基部にほぼ沿わせるように位置合わせするとロック部１２が一方の折曲部１０の外面に当接するので、この状態でプラグ７をロック部１２の弾性付勢力に抗して押し込むことで、ロック部１２が折曲部１０の外面に弾性的に押し当てられてプラグ本体１６側に移動する。この状態で図２（ａ）の矢印方向にプラグ７を回動することで、図１のように対をなす栓刃６が対をなす導体５に接触し、また、対をなす係止部１１が対をなす折曲部１０にそれぞれ内側から係止することでダクト本体４にプラグ７が取付けられる。この時、図２（ａ）の矢印のようにプラグ７を回転することで、ロック部１２が折曲部１０の外面に弾性的に押し当てられながら摺動し、上記のように栓刃６が導体５に接触し且つ係止部１１が折曲部１０に係止した状態まで回動するとロック部１２が折曲部１０の先端を越え、ばね付勢力により図１のように開口部３内に弾入して折曲部１０の先端に係止してプラグ７の回り止めのためのロックを行うことになる。また、このプラグ７のダクト本体４への取付け状態で図１に示すように接地用ピン１８が接地用導体５’に接触する。
【００３０】
上記のようにプラグ７の挿入部１５をダクト本体４の開口部３内に挿入回転して栓刃６を導体５に接触するに当たり、対をなす導体５に接触した状態でダクト本体４の長手方向において位置がずれるように設けてあるので、ダクト本体４への挿入回転による装着時の回転角度を小さくして使い勝手を良くすることができるものである。
【００３１】
ここで、図２に示すようにダクト本体４の開口部３へのプラグ７の挿入、回転、装着という各段階でプラグ７がダクト本体４の巾方向にはみ出さないようになっており、これによりプラグ７の操作スペース、配設スペース等のスペース効率が向上し、スペース効率が重要な情報ラック用ダクトシステムとして特に効果的である。
【００３２】
プラグ７の取り外しに当たっては、操作部１３をばねに抗して操作することでロック部１２をプラグ本体１６側に引き込ませてロックを解除し、この状態で上記と逆にプラグ７を回転することで、栓刃６の導体５への接触を解除し且つ係止部１１の折曲部１０への係止を解除して図２の破線の状態とし、この状態でプラグ７を引き抜くことで取り外すことができるものである。
【００３３】
ところで、本発明においては、上記のように、ダクト本体４の巾方向の中間部に対をなす導体５をそれぞれダクト本体４の巾方向の外側を向き且つ対をなす導体５の向きが互いに逆方向となるように配置してあり、プラグ７に設けた対をなす栓刃６をダクト本体４の巾方向の内側に突出すると共に対をなす栓刃６の突出方向が互いに逆方向となるようにして、上記のようにプラグ７をダクト本体４に挿入して回転することで取付けるので、ダクト本体４の巾方向の中間部に配置した対をなす各導体５と対向する側壁部２との間の巾がダクト本体４の巾の１／２以下となって狭くなるものである。したがって、ＩＥＣ規格に適合させるために試験針がダクト本体４の開口部３から導体５に接触しない構造にするに当たって、従来のようにダクト本体４の奥行きを深くしたりあるいは開口部３の巾を狭くしなくても試験針が開口部３から導体に接触しない構造にできるものである。したがって、開口部３の巾を広くすることが可能となり、プラグ７を挿入して取付ける操作性が向上させることができるものである。また、従来のようにダクト本体４の奥行きを深くしてなくてもよいので、ダクト本体４の薄型化が図れ、プラグ７の挿入部１５の突出度も低減できることになる。
【００３４】
本発明の給電ダクトシステムの使用が終わって廃棄する際に分別回収するに当たっては、合成樹脂製の導体保持部８が板金製のダクト本体４に着脱可能となっているので、板金製のダクト本体４を合成樹脂製の導体保持部８から分離して分別回収ができるものであり、また、導体５が導体保持部８に着脱可能に保持してあるので、導体５と合成樹脂製の導体保持部８とを容易に分離して分別回収できるものである。これにより資源の再利用が容易にできるものである。
【００３５】
なお、添付図面においてはダクト本体４の巾方向の中間部分に複数で一組となった導体５として、２個で一組となった導体５を一組設けた例で説明したが、３個以上の導体５で一組としてもよいものである。また、栓刃６も３個以上で一組としてもよいものである。
【００３６】
また、添付図面に示す実施形態においては、ダクト本体４の巾方向の中間部分に複数で一組となった導体５として一組のみ設けた例で説明したが、ダクト本体４の巾方向の中間部分に複数で一組となった導体５として二組以上（つまり複数組）設けてもよいものである。
【００３７】
【発明の効果】
上記のように本発明の請求項１記載の発明にあっては、板金製のダクト本体の天面部の巾方向の中間部をダクト本体内に凸曲してダクト本体内に突出する凸部を設け、両側の外面に導体を保持した樹脂製の断面コ字状の導体保持部を凸部の略全体にわたって密接状態で被嵌することでダクト本体の両側壁部に対向する凸部の両側面に導体を位置させ、プラグに設けた複数の栓刃をダクト本体の巾方向の内側に突出すると共に複数の栓刃のうちいずれかが他方に対して逆方向となるようにしたので、試験針が開口部から導体に接触しないというＩＥＣ規格の適合性を満たしつつ、ダクト本体の薄型化、開口部の拡大、プラグの挿入部の突出度の低減を図ることができるものであり、また、開口部を広くすることが可能となって使い勝手も良くなるものであり、また、ダクト本体の天面部の巾方向の中間部をダクト本体内に凸曲してダクト本体内に突出する凸部を設け、両側の外面に導体を保持した断面コ字状の導体保持部を凸部の略全体にわたって密接状態で被嵌することでダクト本体の両側壁部に対向する凸部の両側面に導体を位置させるので、簡単な構成で複数の導体がそれぞれダクト本体の巾方向の外側を向き且つ複数の導体のうちいずれかが他方に対して逆方向となるようにダクト本体内の巾方向の中間部に配置することができ、また、板金製のダクト本体の天面部の中間部を凸曲した凸部の略全体にわたって樹脂製の導体保持部を密接状態で被嵌するので、樹脂製の導体保持部の板金製のダクト本体への接触面積を大きくすることが可能となり、導体における発熱を効率良く板金製のダクト本体に逃がすことができて、熱が滞留することによる樹脂製の導体保持部の変形を低減できるものである。
【００３８】
また、請求項２記載の発明にあっては、上記請求項１記載の発明の効果に加えて、導体が樹脂製の導体保持部に保持され、導体保持部を板金製のダクト本体に着脱可能に設けてあるので、絶縁性及び強度を確保でき、また、分別回収する際に、板金製のダクト本体を合成樹脂製の導体保持部から容易に分別して回収できるものである。
【００３９】
また、請求項３記載の発明にあっては、上記請求項２記載の発明の効果に加えて、導体が導体保持部に着脱可能に保持してあるので、分別回収する際に導体を合成樹脂製の導体保持部から容易に分離して容易に導体と合成樹脂製の導体保持部とを分別回収できるものである。
【００４１】
また、請求項４記載の発明にあっては、上記請求項１乃至請求項３のいずれかに記載の発明の効果に加えて、ダクト本体の開口部の縁部に側壁部の先端部を内方に折曲して折曲部を形成し、プラグに、ダクト本体の開口部に挿入されるとともに挿入状態でプラグを回転することでダクト本体の折曲部に内側から係止する係止部を側方に突出し、前記プラグに設けた２個で一組となる栓刃が、２個で一組となる導体に接触した状態でダクト本体の長手方向において位置がずれるように設けてあるので、プラグの対をなす栓刃及び係止部をダクト本体の開口部内に挿入した状態でプラグを回転することで対をなす栓刃を対をなす導体に接触させるとともに係止部を折曲部に内側から係止して装着できるものであり、また、対をなす導体に接触した状態でダクト本体の長手方向において位置がずれるように設けてあるので、ダクト本体への挿入回転による装着時の回転角度を小さくすることができるものである。
【００４２】
また、請求項５記載の発明にあっては、上記請求項４記載の発明の効果に加えて、一方の係止部が２個で一組となる栓刃のうち一方の栓刃に隣り合うと共に他方の栓刃に対向し、他の係止部が他方の栓刃に隣りあうと共に一方の栓刃に対向する位置に設けてあるので、プラグをダクト本体の開口部に挿入回転して装着した状態で、プラグのダクト本体への装着が安定するものである。
【００４３】
また、請求項６記載の発明にあっては、上記請求項１乃至請求項５のいずれかに記載の発明の効果に加えて、プラグにダクト本体の開口部への挿入回転装着時にダクト本体に対するプラグの回転を防止するためのロック部を設けてあるので、プラグをダクト本体の開口部に挿入回転して装着した状態でロック部により回転が防止でき、これにより装着状態で不用意にプラグが回転して栓刃と導体との接触が離れたりあるいはプラグがダクト本体から外れたりせず、プラグの取付けが確実に保持できるものである。
【００４４】
また、請求項７記載の発明にあっては、上記請求項６記載の発明の効果に加えて、プラグに設けたロック部をプラグの挿入部をダクト本体の開口部内に挿入する挿入方向と同方向に移動自在とし、該ロック部が、プラグの挿入部をダクト本体の開口部内に挿入して回転している状態で折曲部の外面に弾接し且つプラグの挿入部をダクト本体に挿入して回転して栓刃が導体に接触した状態で開口部内に弾性的に入り込むように弾性付勢してあるので、プラグをダクト本体の開口部内に挿入回転して装着するだけでロック部が開口部内に弾性的に入り込んでプラグの回転を防止する構成とすることができ、プラグの挿入、回転装着操作のみで同時にロックができて操作性が良くなるものである。
【００４５】
また、請求項８記載の発明にあっては、上記請求項７記載の発明の効果に加えて、開口部に挿入したロック部を開口部から引き抜くためにロック部の弾性付勢方向に抗してロック部を移動するための操作部をプラグに設けてあるので、操作部を操作することで簡単にロック部によるロックを解除することができて、操作性が良くなるものである。
【００４６】
また、請求項９記載の発明にあっては、上記請求項１乃至請求項８記載の発明の効果に加えて、プラグの外殻形状を、ダクト本体へのプラグ挿入時、回転取付け時のいずれの状態においてもダクト本体の巾内に略収まるように形成してあるので、プラグの操作スペース、配設スペース等のスペース効率が向上し、特にスペース効率が重要な情報ラック用ダクトシステムにおいて効果が大となるものである。
【図面の簡単な説明】
【図１】本発明のダクト本体へのプラグの取付け状態を示す断面図である。
【図２】（ａ）は同上の正面図であり、（ｂ）は同上の側面図である。
【図３】同上に用いるダクト本体斜視図である。
【図４】（ａ）は同上に用いるダクト本体の側面図であり、（ｂ）は正面図であり、（ｃ）は平面図であり、（ｄ）は背面図である。
【図５】（ａ）は同上に用いるプラグの正面図であり、（ｂ）は下面図であり、（ｃ）は平面図であり、（ｄ）は左側面図であり、（ｅ）は右側面図であり、（ｆ）は背面図である。
【図６】従来例を示し、（ａ）はダクト本体の断面図であり、（ｂ）はプラグ取付け状態の断面図であり、（ｃ）はプラグ取付け状態の正面図である。
【符号の説明】
１  天面部
２  側壁部
３  開口部
４  ダクト本体
５  導体
６  栓刃
７  プラグ
８  導体保持部
９  凸部
１０  折曲部
１１  係止部
１２  ロック部
１３  操作部
【図１】
0004000829.tif 000002
【図２】
0004000829.tif 000003
【図３】
0004000829.tif 000004
【図４】
0004000829.tif 000005
【図５】
0004000829.tif 000006
【図６】
0004000829.tif 000007